(57)【要約】【課題】指定期間にヒットした楽曲を知りたいユーザにとって利便性の高い録音装置を提供する。【解決手段】放送受信信号から楽曲部分を抽出して録音する録音装置であって、録音された楽曲毎の録音日時が記録される記録部と、同じ曲が重複して録音されていることを検出する検出部と、前記記録部に記録された前記録音日時および前記検出部の検出結果に基づき、指定期間における録音回数を同一楽曲毎にカウントするカウント部と、を備える録音装置とする。【選択図】図１
2010140542.tif 000002
【特許請求の範囲】
【請求項１】
放送受信信号から楽曲部分を抽出して録音する録音装置であって、
録音された楽曲毎の録音日時が記録される記録部と、
同じ曲が重複して録音されていることを検出する検出部と、
前記記録部に記録された前記録音日時および前記検出部の検出結果に基づき、指定期間における録音回数を同一楽曲毎にカウントするカウント部と、を備えることを特徴とする録音装置。
【請求項２】
前記カウント部がカウントしたカウント数に応じて決定された順番で楽曲に関する情報を一覧表示するよう表示部に指示する表示指示部を備えることを特徴とする請求項１に記載の録音装置。
【請求項３】
前記カウント部がカウントしたカウント数が閾値以上である楽曲に関する情報を、前記指定期間におけるヒット曲の情報として表示するよう表示部に指示する表示指示部を備えることを特徴とする請求項１に記載の録音装置。
【請求項４】
前記カウント部がカウントしたカウント数に応じて決定された順番で録音された楽曲を再生する再生部を備えることを特徴とする請求項１〜請求項３のいずれかに記載の録音装置。
【請求項５】
録音された楽曲が削除された場合でも、削除された楽曲に対応する前記録音日時は前記記録部から削除されないことを特徴とする請求項１〜請求項４のいずれかに記載の録音装置。
【発明の詳細な説明】
【技術分野】
【０００１】
本発明は、録音装置に関する。
【背景技術】
【０００２】
従来から、ラジオ放送の楽曲部分を推定し、楽曲部分だけを自動的に抽出する装置が存在する。
【０００３】
このような装置としては、例えば、特許文献１に、ラジオ放送を受信して放送データを記憶部に記憶可能であり、外部サーバ装置から取得したプレイリストの楽曲データ毎の録音開始日時と録音終了日時との間の時間帯を、楽曲が記録された領域として特定し、記憶部に記憶された放送データのうち楽曲データが記録されていない領域に対応するＴＯＣ（table of contents）をデータ無しの状態にし、録音した放送データ中、楽曲データのみを読み出し可能とする端末装置が開示されている。
【０００４】
さらに上記端末装置では、抽出された楽曲データについて楽曲の重複数をカウントし、重複数の多い順に１位から順位を付して楽曲データに関する情報を一覧表示する。重複数は楽曲の人気の度合いを示す指標となるため、一覧表示によりユーザは人気の高い楽曲を知ることができる。
【特許文献１】特開２００８−２７５７３号公報（第９頁、第１０頁等）
【発明の開示】
【発明が解決しようとする課題】
【０００５】
しかし、上記特許文献１の端末装置では、過去に記憶された全ての楽曲データについて重複数をカウントし、そのカウントした重複数に基づき一覧表示を行うので、指定期間にヒットした楽曲（例えば、過去１ヶ月にヒットした楽曲や、ある年の年間ヒット曲等）を知りたいユーザにとっては利便性が悪いといった問題点があった。
【０００６】
上記問題点を鑑み、本発明は、指定期間にヒットした楽曲を知りたいユーザにとって利便性の高い録音装置を提供することを目的とする
【課題を解決するための手段】
【０００７】
上記目的を達成するために本発明の録音装置は、放送受信信号から楽曲部分を抽出して録音する録音装置であって、録音された楽曲毎の録音日時が記録される記録部と、同じ曲が重複して録音されていることを検出する検出部と、前記記録部に記録された前記録音日時および前記検出部の検出結果に基づき、指定期間における録音回数を同一楽曲毎にカウントするカウント部と、を備える構成とした。
【０００８】
このような構成によれば、カウント部によりカウントされる録音回数は、指定期間における楽曲の人気の度合いを示す指標となり、このカウント数を利用することで指定期間にヒットした楽曲を知りたいユーザにとって利便性の高いものとなる。
【０００９】
また、本発明の録音装置は、上記構成において、前記カウント部がカウントしたカウント数に応じて決定された順番で楽曲に関する情報を一覧表示するよう表示部に指示する表示指示部を備える構成としてもよい。
【００１０】
このような構成によれば、ユーザは、一覧表示に表示された指定期間におけるヒット曲に関する情報を見ることで、指定期間におけるヒット曲を知ることができる。
【００１１】
また、本発明の録音装置は、上記構成において、前記カウント部がカウントしたカウント数が閾値以上である楽曲に関する情報を、前記指定期間におけるヒット曲の情報として表示するよう表示部に指示する表示指示部を備える構成としてもよい。
【００１２】
また、本発明の録音装置は、上記各構成において、前記カウント部がカウントしたカウント数に応じて決定された順番で録音された楽曲を再生する再生部を備える構成としてもよい。
【００１３】
このような構成によれば、ユーザは、再生される楽曲を聴くことで、指定期間におけるヒット曲を知ることができる。
【００１４】
また、本発明の録音装置は、上記各構成において、録音された楽曲が削除された場合でも、削除された楽曲に対応する前記録音日時は前記記録部から削除されない構成としてもよい。
【００１５】
このような構成によれば、録音された楽曲が削除された場合でも、カウント部によりカウントされる録音回数が減少し、録音回数が、実際は人気があるのに人気が低いといった誤った人気の度合いを示す指標となってしまうことを防げる。
【発明の効果】
【００１６】
本発明の録音装置によれば、指定期間にヒットした楽曲を知りたいユーザにとって利便性が高いものとなる。
【発明を実施するための最良の形態】
【００１７】
以下、本発明の実施形態について図面を参照して説明する。
【００１８】
図１に、本発明に係る録音装置のハードウェア構成を示す。本図に示すように、本発明に係る録音装置は、ＦＭチューナ２と、Ａ／Ｄ部３と、ＤＳＰ（Digital Signal Processor）４と、Ｄ／Ａ部５と、ＣＰＵ（Central Processing Unit）６と、メモリ７と、記録媒体８と、表示部１２と、通信部１３と、を備えている。
【００１９】
アンテナ１は、放送電波を受信し、放送電波を電気信号であるＦＭ信号に変換してＦＭチューナ２に出力する。ＦＭチューナ２は、アンテナ１からのＦＭ信号から選局周波数のＦＭ信号を抽出し、抽出されたＦＭ信号を復調してアナログ音声信号をＡ／Ｄ部３に出力する。Ａ／Ｄ部３は、ＦＭチューナ２からのアナログ音声信号をデジタル音声信号に変換してＤＳＰ４に出力する。
【００２０】
ＤＳＰ４は、楽曲抽出部９と、変化点検出部１０と、音声コーデック部１１とを有する。
【００２１】
楽曲抽出部９は、Ａ／Ｄ部３が出力したデジタル音声信号から楽曲部分を抽出して変化点検出部１０および音声コーデック部１１に出力する。
【００２２】
変化点検出部１０は、楽曲抽出部９からのデジタル音声信号に基づき、音声パワーの変化量を算出し、音声パワーの変化量が閾値を越えて極大となるタイミングを変化点として検出する。図２に音声パワーの変化量の一例を示すが、この場合、音声パワーの変化量が閾値を越えて極大となるタイミングＴ（ｍ）およびＴ（ｍ＋１）が変化点として検出される。
【００２３】
音声コーデック部１１は、エンコーダ１１ａとデコーダ１１ｂから構成される。エンコーダ１１ａは、楽曲抽出部９からの非圧縮デジタル音声信号を圧縮音声データに符号化する。デコーダ１１ｂは、後述する記録媒体８に記録された圧縮音声データを非圧縮デジタル音声信号に復号化する。Ｄ／Ａ部５は、デコーダ１１ｂが出力した非圧縮デジタル音声信号をアナログ音声信号に変換して出力する。
【００２４】
ＣＰＵ６は、録音装置の各種制御を行う演算処理装置で、後述する重複曲検索やヒットチャート表示処理を行う。メモリ７は、ＣＰＵ６のワークメモリとして使用されたり、変化点データ等の各種情報の記憶に用いられる。記録媒体８は、ハードディスク等の大容量記録媒体であり、圧縮音声データ、それに付随する各種情報や後述する録音履歴データが記録される。
【００２５】
表示部１２は、ＬＣＤ（Liquid Crystal Display）等からなり、各種情報を表示する。通信部１３は、外部のサーバ装置（不図示）と無線通信を行い、各種情報をサーバ装置から取得する。
【００２６】
次に、以上のような構成の本発明に係る録音装置の録音動作について、図３のフローチャートを用いて説明する。
【００２７】
ユーザによる録音開始指示により、図３のフローチャートが開始される。まず、ステップＳ３００で、ＣＰＵ６は、ＦＭチューナ２を起動し、選局制御を行う。そして、ステップＳ３０１で、ＣＰＵ６は、楽曲抽出部９を起動する。
【００２８】
楽曲抽出部９は、Ａ／Ｄ部３からのデジタル音声信号に基づき音声パワーの変化量を算出し変化点を検出する。そして、楽曲抽出部９は、検出された変化点近傍のＭＦＣＣ（Mel Frequency Cepstral Coefficients）等の周波数特徴量を算出し、算出された周波数特徴量と、基準データ（典型的な楽曲の周波数特徴量と話し声の周波数特徴量）との尤度を算出する。そして、楽曲抽出部９は、算出された尤度に基づき変化点における音声信号が楽曲か話し声であるかを判定する。楽曲抽出部９は、話し声と判定された変化点の間隔が所定時間（例えば、１００秒）未満であると判定すると、その変化点間の区間は楽曲区間ではないとみなし、その変化点のうち時間的に後の変化点を楽曲開始ポイントとして検出する。楽曲開始ポイントが検出されると（ステップＳ３０２のＹ）、楽曲抽出部９は、そのポイントからＡ／Ｄ部３からのデジタル音声信号を変化点抽出部１０およびエンコーダ１１ａへ出力することを開始し、ステップＳ３０３に進む。
【００２９】
ステップＳ３０３では、ＣＰＵ６は、エンコーダ１１ａを起動する。エンコーダ１１ａは楽曲抽出部９からのデジタル音声信号を圧縮符号化することを開始し、記録媒体８への圧縮音声データの記録が開始される。
【００３０】
ステップＳ３０４で、ＣＰＵ６は、変化点検出部９を起動する。そして、ステップＳ３０５で、変化点検出部９は、変数ｉを０に初期化する。そして、変化点検出部９が変化点を検出しなければ（ステップＳ３０６のＮ）、ステップＳ３０９に進み、楽曲抽出部９が楽曲終了ポイントを検出しなければ（ステップＳ３０９のＮ）、ステップＳ３０６に戻る。楽曲終了ポイントの検出については、楽曲抽出部９が、話し声と判定された変化点の間隔が上記所定時間（例えば、１００秒）以上であると判定すると、その変化点間の区間は楽曲区間であるとみなし、その変化点のうち時間的に後の変化点を楽曲終了ポイントとして検出する。
【００３１】
ステップＳ３０６で変化点検出部１０が変化点を検出すると（ステップＳ３０６のＹ）、ステップＳ３０７で、変化点検出部１０は、検出した変化点をＴ（ｉ）としてメモリ７に記憶する。そして、ステップＳ３０８で、変化点検出部１０は、変数ｉをインクリメントし、ステップＳ３０９に進む。
【００３２】
ステップＳ３０９で楽曲抽出部９が楽曲終了ポイントを検出すると（ステップＳ３０９のＹ）、楽曲抽出部９は、検出した楽曲終了ポイントでＡ／Ｄ部３からのデジタル音声信号を変化点検出部１０およびエンコーダ１１ａへ出力することを停止し、ステップＳ３１０に進む。
【００３３】
ステップＳ３１０で、ＣＰＵ６は、エンコーダ１１ａおよび変化点検出部１０を停止する。記録媒体８には、楽曲抽出部９により抽出された楽曲部分の圧縮音声データが記録されることになる。
【００３４】
そして、ステップＳ３１１で、変化点検出部１０は、変数ｉの値を記録媒体８にＥＯＰ（End Of Procedure）記録する。次に、ステップＳ３１２で、ＣＰＵ６は、メモリ７に記憶された変化点データを圧縮音声データに付随して記録媒体８に記録する。そして、ステップＳ３１３で、ＣＰＵ６は、録音日時情報を圧縮音声データに付随して記録媒体８に記録する。
【００３５】
ステップＳ３１３の後、ステップＳ３０２に戻り、以降、楽曲抽出部９により抽出された楽曲部分の圧縮音声データが順次、記録媒体８に記録されることになる。
【００３６】
次に、本発明に係る録音装置の再生動作について、図４のフローチャートを用いて説明する。
【００３７】
ユーザの再生開始指示により、図４のフローチャートが開始される。まず、ステップＳ４００で、ＣＰＵ６は、記録媒体８から圧縮音声データを読み出すことを開始する。そして、ステップＳ４０１で、ＣＰＵ６は、デコーダ１１ｂを起動し、デコーダ１１ｂは、読み出された圧縮音声データを復号化しＤ／Ａ部５に出力することを開始する。これにより、楽曲の音声発生が開始される。
【００３８】
そして、ユーザによる再生終了指示をＣＰＵ６が検出すると（ステップＳ４０２のＹ）、ＣＰＵ６は、圧縮音声データの読み出しを停止し、デコーダ１１ｂを停止する。これにより、楽曲の音声発生が停止する。
【００３９】
次に、本発明に係る録音装置の録音履歴更新動作について、図５のフローチャートを用いて説明する。
【００４０】
ここでまず、図５のフローチャートの処理により更新される対象である録音履歴データについて説明する。図６に、録音履歴データの一例を示す。録音履歴データは、記録媒体８に記録され、楽曲ＩＤ、曲名、アーティスト名、変化点データ、録音日時から構成される。楽曲ＩＤは、記録媒体８に記録された楽曲を識別するためのＩＤである。曲名およびアーティスト名は、記録媒体８に記録された楽曲の曲名およびアーティスト名である。変化点データは、記録媒体８に記録された楽曲の変化点データである。録音日時は、記録媒体８に記録された楽曲の録音日時である。
【００４１】
図５のフローチャートは、前述した録音動作（図３）により記録媒体８に楽曲（圧縮音声データ）および付随データが記録される毎に開始される。まず、ステップＳ５００で、ＣＰＵ６は、記録媒体８に記録された楽曲（以下、比較対象楽曲）の変化点データと録音日時を記録媒体８から読み出す。
【００４２】
そして、ステップＳ５０１で、ＣＰＵ６は、録音履歴データの録音日時で現在より１ヶ月以上前のものがあれば、その録音日時を消去する。
【００４３】
次に、ステップＳ５０２で、ＣＰＵ６は、録音履歴データの録音日時で現在より１ヶ月以内のものがない楽曲、すなわち、現在より１ヶ月以内に一度も録音されていない楽曲があれば、その楽曲の録音履歴データを全て消去する。
【００４４】
そして、ステップＳ５０３に進み、ＣＰＵ６は、録音履歴データにおける先頭の楽曲の変化点データを読み出す。
【００４５】
そして、ステップＳ５０４で、ＣＰＵ６は、ステップＳ５００で読み出した変化点データおよびステップＳ５０３で読み出した変化点データに基づき、比較対象楽曲とステップＳ５０３で読み出した変化点データの楽曲とが一致するか否かを判定する。
【００４６】
ここで、ステップＳ５０４の楽曲一致判定処理について、図７のフローチャートを用いて詳細に説明する。
【００４７】
ステップＳ５００で読み出した比較対象楽曲の変化点データをＴ１（ｉ）（ｉ＝０〜Ｉ−１）、ステップＳ５０３で読み出した変化点データをＴ２（ｊ）（ｊ＝０〜Ｊ−１）とする。まず、ステップＳ７００で、ＣＰＵ６は、変数ｉおよび変数ｊを０に初期化する。
【００４８】
そして、ステップＳ７０１で、ＣＰＵ６は、Ｔ１（ｉ＋１）−Ｔ１（ｉ）とＴ２（ｊ＋１）−Ｔ２（ｊ）との差が０を含む所定の誤差範囲内であるか否かを判定する。すなわち、隣り合う変化点（時刻）の間隔（時間）が略一致するか否かを判定する。もし、略一致すれば（ステップＳ７０１のＹ）、ステップＳ７０２に進む。
【００４９】
ステップＳ７０２で、ＣＰＵ６は、Ｔ１（ｉ＋２）−Ｔ１（ｉ）とＴ２（ｊ＋２）−Ｔ２（ｊ）との差と、Ｔ１（ｉ＋３）−Ｔ１（ｉ）とＴ２（ｊ＋３）−Ｔ２（ｊ）との差との少なくともいずれかが上記所定の誤差範囲内であるか否かを判定する。すなわち、ステップＳ７０１で変化点の間隔を求める起点とした変化点（Ｔ１（ｉ）、Ｔ２（ｊ））とその次のさらに次の変化点との間隔と、上記起点とした変化点とその次の次のさらに次の変化点との間隔とのうち少なくともいずれかが略一致するか否かを判定する。もし、少なくともいずれかが略一致すれば（ステップＳ７０２のＹ）、ステップＳ７０３に進み、ＣＰＵ６は、比較対象楽曲とステップＳ５０３で読み出した変化点データの楽曲とが一致すると判定し、つまり楽曲が重複していることを検出し、処理が終了する。
【００５０】
また、ステップＳ７０１で変化点の間隔が略一致しない場合や（ステップＳ７０１のＮ）、ステップＳ７０２でいずれの変化点の間隔も略一致しない場合（ステップＳ７０２のＮ）、ステップＳ７０４に進み、ＣＰＵ６は、変数ｉをインクリメントする。
【００５１】
そして、ステップＳ７０５で、ＣＰＵ６は、ｉ＋３がＩに一致するか否かを判定し、もし一致しなければ（ステップＳ７０５のＮ）、ステップＳ７０１に戻る。一方、ｉ＋３がＩに一致すれば（ステップＳ７０５のＹ）、ステップＳ７０６に進み、ＣＰＵ６は、変数ｉを０に初期化し、変数ｊをインクリメントする。そして、ステップＳ７０７で、ＣＰＵ６は、ｊ＋３がＪに一致するか否かを判定し、もし一致しなければ（ステップＳ７０７のＮ）、ステップＳ７０１に戻る。
【００５２】
そして、ステップＳ７０７でｊ＋３がＪに一致すれば（ステップＳ７０７のＹ）、ステップＳ７０８に進み、ＣＰＵ６は、比較対象楽曲とステップＳ５０３で読み出した変化点データの楽曲とは一致しないと判定し、処理が終了する。
【００５３】
ここで、図８に、２つの楽曲の変化点の一例を示す。この場合、ステップＳ７０１で、Ｔ１（７）とＴ１（８）との間隔Ａと、Ｔ２（２）とＴ２（３）との間隔Ａ’とが略一致すると判定され（ステップＳ７０１のＹ）、ステップＳ７０２に進む。そして、ステップＳ７０２で、Ｔ１（７）とＴ１（９）との間隔Ｂと、Ｔ２（２）とＴ２（４）との間隔Ｂ’とが略一致し、かつ、Ｔ１（７）とＴ１（１０）との間隔Ｃと、Ｔ２（２）とＴ２（５）との間隔Ｃ’とが略一致すると判定され（ステップＳ７０２のＹ）、ステップＳ７０３で、２つの楽曲は一致すると判定される。つまり、変化点の相対的な位置関係が略一致するとして、楽曲の一致を判定している。
【００５４】
再び、図５のフローチャートに説明を戻す。
【００５５】
ステップＳ５０４の楽曲一致判定処理により楽曲が一致すると判定されると（ステップＳ５０４のＹ）、ステップＳ５０５に進み、ＣＰＵ６は、ステップＳ５０３で読み出した変化点データの楽曲の録音履歴データに、ステップＳ５００で読み出した録音日時を追加し、処理が終了する。
【００５６】
また、ステップＳ５０４の楽曲一致判定処理により楽曲が一致しないと判定されると（ステップＳ５０４のＮ）、ステップＳ５０６に進み、ＣＰＵ６は、録音履歴データに登録済みの全楽曲を検索したか否かを判定し、検索していなければ（ステップＳ５０６のＮ）、ステップＳ５０３に戻り、ここではＣＰＵ６は、前回読み出した変化点データの楽曲の次の楽曲の変化点データを読み出す。
【００５７】
そして、ステップＳ５０６で録音履歴データに登録済みの全楽曲を検索したと判定されると（ステップＳ５０６のＹ）、ステップＳ５０７に進み、ＣＰＵ６は、録音履歴データに、新たな楽曲ＩＤ、ステップＳ５００で読み出した変化点データ、ステップＳ５００で読み出した録音日時を対応させて追加する。
【００５８】
そして、ステップＳ５０８で、ＣＰＵ６は、ステップＳ５００で読み出した変化点データを通信部１３を用いて外部のサーバ装置（不図示）に送信する。サーバ装置は、変化点データ、曲名、アーティスト名を対応させたデータベースを保有しており、通信部１３から変化点データを受信すると、受信した変化点データに対応する曲名およびアーティスト名をデータベースから検索し、検索した曲名およびアーティスト名を通信部１３へ送信する。そして、通信部１３がサーバ装置から受信した曲名およびアーティスト名を、ＣＰＵ６は、ステップＳ５０７で追加した新たな楽曲ＩＤに対応させて録音履歴データに追加する。それから、処理が終了となる。
【００５９】
なお、ステップＳ５０２で、１ヶ月以内に一度も録音されていない楽曲の録音履歴データを消去するが、このような楽曲は最近のヒット曲ではないとして、これと同時に、その楽曲の圧縮音声データを記録媒体８から消去するようにしてもよい。
【００６０】
以上のように更新される録音履歴データを用いたヒットチャート表示動作について、図９のフローチャートを用いて以下説明する。
【００６１】
ユーザのヒットチャート表示指示により、図９のフローチャートが開始される。まず、ステップＳ９００で、ＣＰＵ６は、ユーザの指定期間（１ヶ月または１週間）を取得する。
【００６２】
そして、ステップＳ９００で取得した指定期間が１ヶ月であれば（ステップＳ９０１のＹ）、ステップＳ９０２に進み、ＣＰＵ６は、過去１ヶ月における録音履歴データの録音日時の個数、すなわち録音回数を楽曲毎にカウントする。そして、ステップＳ９０４で、ＣＰＵ６は、カウント数の多い楽曲の順に録音履歴データの曲名およびアーティスト名、カウントした録音回数を一覧表示するよう表示部１２に指示し、表示部１２において一覧表示がされ、処理が終了する。
【００６３】
また、ステップＳ９００で取得した指定期間が１週間であれば（ステップＳ９０１のＮ）、ステップＳ９０３に進み、ＣＰＵ６は、過去１週間における録音履歴データの録音日時の個数、すなわち録音回数を楽曲毎にカウントする。そして、ステップＳ９０４で、ＣＰＵ６は、カウント数の多い楽曲の順に録音履歴データの曲名およびアーティスト名、カウントした録音回数を一覧表示するよう表示部１２に指示し、表示部１２において一覧表示がされ、処理が終了する。
【００６４】
ここで、図１０は、記録媒体８への楽曲の記録を時系列順に示した一例の図である。このような場合、図９において指定期間が１週間であると、ステップＳ９０３でカウントされる録音回数は図１０中の表のようになり、ステップＳ９０４では、この表の楽曲順に曲名、アーティスト名および録音回数が表示部１２に一覧表示される。
【００６５】
ステップＳ９０２またはステップＳ９０３でカウントされる録音回数は、最近１ヶ月または最近１週間における楽曲の人気の度合いを示す指標となるため、ステップＳ９０４では、最近１ヶ月または最近１週間にヒットした楽曲に関する情報が一覧表示の上位に表示されるので、最近のヒット曲を知りたいユーザにとって利便性の高いものとなる。
【００６６】
また、ユーザの指示により記録媒体８から楽曲（圧縮音声データ）が削除された場合でも、削除された楽曲に対応する録音履歴データの録音日時は削除されないようにしているので、楽曲の削除により録音回数のカウント数が減少し、一覧表示の下位のほうにヒット曲に関する情報が表示されてしまうといったことを防ぐことができる。
【００６７】
なお、ユーザのヒット曲再生指示により図９のフローチャートが開始するようにしてもよく、この場合、ステップＳ９０４では、ＣＰＵ６が、カウント数の多い楽曲順に記録媒体８から楽曲（圧縮音声データ）を順次読み出し、読み出した楽曲をデコーダ１１ｂで復号化しＤ／Ａ部５からアナログ音声信号を出力するようにすればよい。これにより、ユーザは最初のほうで最近１ヶ月または最近１週間にヒットした曲を聴くことができる。
【００６８】
以上、本発明の実施形態について説明したが、本発明の実施形態はこれに限定されることはなく、本発明の趣旨を逸脱しない範囲での様々な変形が可能である。
【００６９】
例えば、ヒットチャート表示やヒット曲再生における指定期間については、過去１ヶ月等の現在からの指定期間に限らず、過去のある年の１年間としてもよい。これにより、ユーザは、過去のある年の年間ヒット曲を知ることができる。
【００７０】
また、例えば、ヒットチャート表示やヒット曲再生において、録音回数が閾値以上の楽曲についてのみ表示や再生を行うようにしてもよい。
【図面の簡単な説明】
【００７１】
【図１】は、本発明に係る録音装置のハードウェア構成を示す図である。
【図２】は、音声パワーの変化量の一例を示す図である。
【図３】は、本発明に係る録音装置の録音動作に関するフローチャートである。
【図４】は、本発明に係る録音装置の再生動作に関するフローチャートである。
【図５】は、本発明に係る録音装置の録音履歴更新動作に関するフローチャートである。
【図６】は、録音履歴データの一例を示す図である。
【図７】は、本発明に係る録音装置の楽曲一致判定処理に関するフローチャートである。
【図８】は、２つの楽曲の変化点の一例を示す図である。
【図９】は、本発明に係る録音装置のヒットチャート表示動作に関するフローチャートである。
【図１０】は、記録媒体への楽曲の記録を時系列順に示した一例の図である。
【符号の説明】
【００７２】
１    アンテナ
２    ＦＭチューナ
３    Ａ／Ｄ部
４    ＤＳＰ
５    Ｄ／Ａ部
６    ＣＰＵ
７    メモリ
８    記録媒体
９    楽曲抽出部
１０    変化点検出部
１１    音声コーデック部
１１ａ    エンコーダ
１１ｂ    デコーダ
１２    表示部
１３    通信部
【図１】
2010140542.tif 000003
【図２】
2010140542.tif 000004
【図３】
2010140542.tif 000005
【図４】
2010140542.tif 000006
【図５】
2010140542.tif 000007
【図６】
2010140542.tif 000008
【図７】
2010140542.tif 000009
【図８】
2010140542.tif 000010
【図９】
2010140542.tif 000011
【図１０】
2010140542.tif 000012